(57)【要約】【課題】押圧し易い位置にキーマップが表示される入力手段を有する表示装置の提供。【解決手段】表示部２に対応して設けられる光透過性を有するタッチパネル３と、タッチパネル３に初めに接触されたことを検出する初押圧検出部７と、入力キーのキー配列が記憶されたキーマップ記憶部５と、初押圧検出部７で初めての接触を検出した際に、キーマップ記憶部５からキーマップを読み出し、タッチパネル３における初めての接触の接触位置と、キーマップの基準位置とが対応するように、読み出したキーマップを表示部２に出力すると共に、読み出したキーマップの各入力キーの位置および値を出力するキーマップ展開部６と、タッチパネル３での接触位置に基づいてキーマップ展開部６からタッチパネル３での接触位置に対応する入力キーの値を出力する結合部８とを備えることにより、押圧し易い位置にキーマップが表示される。【選択図】図１
2009025848.tif 000002
【特許請求の範囲】
【請求項１】
表示手段に対応して設けられる光透過性を有する接触検出手段と、前記接触検出手段に初めに接触されたことを検出する初接触検出手段と、入力キーのキー配列が記憶されたキー配列記憶手段と、前記初接触検出手段で初めての接触を検出した際に、前記キー配列記憶手段から前記キー配列を読み出し、前記接触検出手段における前記初めての接触の接触位置と、前記キー配列の基準位置とが対応するように、前記読み出したキー配列を前記表示手段に出力すると共に、前記読み出したキー配列の前記各入力キーの位置および値を出力するキー配列展開手段と、前記接触検出手段での接触位置に基づいて前記キー配列展開手段から前記接触検出手段での接触位置に対応する前記入力キーの値を出力する結合手段とを備えた入力手段を有する表示装置。
【請求項２】
請求項１記載の入力手段を有する表示装置を備えた情報機器装置。
【請求項３】
表示手段に対応して設けられる光透過性を有する接触検出手段への初めての接触を検出した際に、入力キーのキー配列が記憶されたキー配列記憶手段から前記キー配列を読み出すステップと、前記接触検出手段における前記初めての接触の接触位置と、前記キー配列の基準位置とが対応するように、前記読み出したキー配列を前記表示手段に出力するステップと、前記読み出したキー配列の前記各入力キーの位置および値を出力するステップと、前記接触検出手段での接触位置に基づいて前記接触検出手段での接触位置に対応する前記入力キーの値を出力するステップとを備えた入力手段を有する表示装置の駆動方法。
【発明の詳細な説明】
【技術分野】
【０００１】
本発明は、例えば携帯電話等の情報機器装置に搭載するタッチパネル等の入力手段を有する表示装置に関する。
【背景技術】
【０００２】
押圧対象画像を表示する表示面の上に透明なタッチパネルを搭載し、タッチパネル上の押圧座標と押圧対象との関連をオペレータに応じて補正することで、小さな押圧対象画像でも正確な押圧結果が得られるタッチパネル付き表示装置が従来、知られている（例えば、特許文献１参照）。
【０００３】
また、携帯電話等の情報機器装置において、タッチパネル付き表示装置を情報機器装置のほぼ全面に配置することで、一度に多くの情報を表示できることが従来、知られている（例えば、特許文献２参照）。
【特許文献１】特開平８−２２１２０７号公報
【特許文献２】実開平５−６８１５９号公報
【発明の開示】
【発明が解決しようとする課題】
【０００４】
一方、携帯電話は小型化が進み、人の手に比べて相対的に小さくなることによって、人の手で保持し難くなって来ている。また、携帯電話の表示面の大画面化が進み、携帯電話の表面において、キー入力部の設置場所が制限され、例えば携帯電話表面の端にキー入力部が設置される場合がある。
【０００５】
携帯電話でのキー入力は、利き手で保持しながら、利き手の親指で行うことが多いが、小型化によって携帯電話を保持し難くなった上に、キー入力部が端に設置されることによって、利き手で保持しながら利き手の親指でキー入力することが難しいという問題が生じている。
【０００６】
特許文献１に記載されたものでは、押圧座標と押圧対象との関連をオペレータに応じて補正できても上記の理由から、補正用キーも利き手の親指で操作しにくい問題が依然として生ずる。
【０００７】
また、特許文献２に記載されたものは、一度に多くの情報を表示できるようにタッチパネル付き表示装置を情報機器装置のほぼ全面に配置した一般的なものであり、利き手の指による操作の問題ついては何ら解決されていない。
【０００８】
本発明は、上記の課題を解決するためになされたもので、手で保持しながら、保持した手の親指等で行うキー入力を容易にした携帯電話等の情報機器装置に適した、タッチパネル付き表示装置を提供することを目的とする。
【課題を解決するための手段】
【０００９】
本発明の入力手段を有する表示装置は、表示手段に対応して設けられる光透過性を有する接触検出手段と、接触検出手段に初めに接触されたことを検出する初接触検出手段と、入力キーのキー配列が記憶されたキー配列記憶手段と、初接触検出手段で初めての接触を検出した際に、キー配列記憶手段からキー配列を読み出し、接触検出手段における初めての接触の接触位置と、キー配列の基準位置とが対応するように、読み出したキー配列を表
示手段に出力すると共に、読み出したキー配列の各入力キーの位置および値を出力するキー配列展開手段と、接触検出手段での接触位置に基づいてキー配列展開手段から接触検出手段での接触位置に対応する入力キーの値を出力する結合手段とを備えた構成を有する。
【００１０】
この構成により、接触検出手段に初めに接触された接触位置にキー配列の基準位置が対応するようにキー配列を表示手段に出力することが出来る。
【００１１】
また、本発明の情報機器装置は、上記の入力手段を有する表示装置を備えた構成を有する。
【００１２】
この構成により、キー入力しやすい位置にキー配列は表示される情報機器装置を提供することが出来る。
【００１３】
また、本発明の入力手段を有する表示装置の駆動方法は、表示手段に対応して設けられる光透過性を有する接触検出手段への初めての接触を検出した際に、入力キーのキー配列が記憶されたキー配列記憶手段からキー配列を読み出すステップと、接触検出手段における初めての接触の接触位置と、キー配列の基準位置とが対応するように、読み出したキー配列を表示手段に出力するステップと、読み出したキー配列の各入力キーの位置および値を出力するステップと、接触検出手段での接触位置に基づいて接触検出手段での接触位置に対応する前記入力キーの値を出力するステップとを備えた構成を有する。
【００１４】
この構成により、接触検出手段に初めに接触された接触位置にキー配列の基準位置が対応するようにキー配列を表示手段に出力することが出来る。
【発明の効果】
【００１５】
本発明の入力手段を有する表示装置は、接触検出手段に初めに接触されたことを検出する初接触検出手段と、接触検出手段に初めに接触された接触位置にキー配列の基準位置が対応するようにキー配列を表示手段に出力するキー配列展開手段とを備えた構成を有し、キー入力しやすい位置にキー配列を表示する、小型化された情報機器装置に好適な入力手段を有する表示装置を提供することができる。
【００１６】
また、本発明の情報機器装置は、上記入力手段を有する表示装置を備えた構成を有し、キー入力しやすい位置にキー配列を表示する情報機器装置を提供することができる。
【００１７】
また、本発明の入力手段を有する表示装置の駆動方法は、接触検出手段への初めての接触を検出した際に、接触された接触位置にキー配列の基準位置が対応するようにキー配列を表示手段に出力するステップを有し、キー入力しやすい位置にキー配列を表示する入力手段を有する表示装置の駆動方法を提供することができる。
【発明を実施するための最良の形態】
【００１８】
以下本発明の実施の形態について、図面を参照しながら説明する。
【００１９】
（実施の形態１）
図１は、本発明の実施の形態１におけるタッチパネル付き表示装置を備えた情報機器装置を示すブロック図である。
【００２０】
図１において、本実施の形態のタッチパネル付き表示装置１を備えた情報機器装置は、文字や画像などの表示画像を表示する表示部２と、表示部２の表面に装着される接触検出手段としてのタッチパネル３と、タッチパネル３の表面を初めて押圧されたことを検出する初接触検出手段としての初押圧検出部７と、例えばテンキーや矢印キーなどの、タッチ
パネル３を介して押圧すべき入力キーのキー配列などの画像情報（キーマップ）が記憶された、キー配列記憶手段としてのキーマップ記憶部５と、初押圧検出部７での検出結果に基づいてキーマップ記憶部５から所定のキーマップを読み出すキーマップ展開部６と、キーマップ展開部６で読み出されたキーマップと上記表示画像を合成する混合部４と、タッチパネル３上の押圧点とキーマップ展開部６から読み出されたキーマップの場所とを結合する結合部８と、外部と情報の入出力をするＩ／Ｏ部９と、動作プログラム等を記憶するメモリ１１と、動作プログラムを実行するＣＰＵと、各部を接続するバス１２から構成される。本実施の形態では、混合部４とキーマップ展開部６とでキー配列展開手段が構成される。
【００２１】
さらに、表示部２は、混合部４が出力するキーマップや他の表示画像を表示する。
【００２２】
タッチパネル３は、表示部２の表面上に装着され、透過性を有し、表示部上の押圧点の座標を、キーマップ展開部６、初押圧検出部７、及び結合部８に出力する。
【００２３】
混合部４は、キーマップ展開部６が出力するキーマップの画像と、入力される表示画像を混合し表示部２に出力する。
【００２４】
キーマップ記憶部５は、基準点を持つキーマップを予め記憶し、キーマップ展開部６からキーマップの読み出しを求められると、キーマップ展開部６へ読み出しの要求に応じてキーマップを出力する。
【００２５】
キーマップ展開部６は、初押圧検出部７が初押圧を検出するとキーマップ記憶部５からキーマップを読み出し、タッチパネル３が出力する座標と、キーマップの基準点が一致する様に、読み出したキーマップをキーマップ展開部６内で移動させ、移動したキーマップの画像を生成し混合部４に出力する一方で、移動したキーマップ上のそれぞれのキーについて座標とその値を対にして結合部８へ出力する。
【００２６】
初押圧検出部７は、タッチパネル３に初めて押圧されたことを検出する。
【００２７】
ここで、初めての押圧とは、例えばタッチパネル付き表示装置１の機能が有効にされてから初めての押圧や、一定時間押圧が無かった後の初めての押圧を意味する。
【００２８】
また、本実施の形態のタッチパネル付き表示装置１を携帯電話に適応した場合に、初めての押圧とは、例えば携帯電話の電源投入後初めての押圧を意味する。
【００２９】
更に、本実施の形態のタッチパネル付き表示装置１を折り畳み式の携帯電話に適応した場合に、初めての押圧とは、例えば筐体を開いた後の初めての押圧を意味する。
【００３０】
結合部８はキーマップ展開部６が出力する対になったキーの座標及びそのキーの値と、タッチパネル３が出力する押圧点の座標とから押圧点に対応するキーの値を出力する。
【００３１】
Ｉ／Ｏ部９は、アンテナ（図示せず）、マイク（図示せず）、及びスピーカ等（図示せず）を備え情報機器装置の外部からの情報の入力を受け、外部へ情報を出力する。
【００３２】
メモリ１１は、携帯電話等の情報機器装置の動作プログラムや、動作プログラム実行中に発生する情報を記憶する。
【００３３】
ＣＰＵ１０は、メモリ１１の動作プログラムを、タッチパネル付き表示装置１とＩ／Ｏ部９とメモリ１１と協働して実行する。
【００３４】
バス１２は、タッチパネル付き表示装置１、Ｉ／Ｏ部９、メモリ１１、及びＣＰＵ１０を接続する。
【００３５】
図２は、キーマップ記憶部５が予め記憶する基準点を持つキーマップの一例を示す模式図である。
【００３６】
図２は、「１」〜「９」、「＊」、「０」、及び「＃」のキーを備えたテンキーのキーマップ１００を示す。各キーは、波線で示すキーの領域を持つ。例えばキー「１」の領域はキー領域１０３であって、キー「２」の領域はキー領域１０４であって、以下同様である。
【００３７】
また、各キー領域はベクトルの集まり、すなわち座標の集まりとして規定することができる。例えば、キー「１」のキー領域１０３はベクトルの集まり１０１で規定される。
【００３８】
更に、キーマップ１００は基準点１０２を持ち、基準点１０２はキーマップ１００を移動する上で基準となる点である。
【００３９】
図２のキーマップ１００では、基準点１０２をキー領域１０７上の文字「５」の上とした。一般にテンキーにおいて、「５」のキーには突起部が設けられ、指先の感触で「５」のキーを探せる様になっている。つまり、従前から、「５」のキーは基準となるキーとの認識が一般的であって、キーマップ１００において基準点１０２を文字「５」の上に設けることは、一般認識との親和性が高い。しかしながら、本発明では、基準点１０２は文字「５」の上に限るものではない。
【００４０】
なお、実線で示した「１」〜「９」、「＊」、「０」、及び「＃」の文字は、キーマップ１００の画像として表示部２に表示されるが、波線で示したキー領域１０３からキー領域１１４は、表示部２で表示されない。
【００４１】
また、図２に示すキーマップ１００ではキー領域１０３〜１１４を四角形とし、更に非表示としたが、本発明は、四角形に限らず、円や楕円等の任意の形状であっても良く、更にキー領域を表示する様にしても良い。
【００４２】
図３は、本実施の形態のタッチパネル付き表示装置１を適用した情報機器装置としての携帯電話の要部外観を示す正面図であって、図３（ａ）から図３（ｃ）は、本実施の形態のタッチパネル付き表示装置１が動作するに従って変化する携帯電話の外観状態を示している。
【００４３】
図３において、タッチパネル３は表示部２の表面上に装着されている。
【００４４】
また、表示部２上の表示画像領域２０１は、混合部４で混合される、キーマップではない表示画像が表示される領域を示す。
【００４５】
更に、押圧点２０２は、指等で押圧される部分を示す。
【００４６】
図３（ａ）は、本実施の形態のタッチパネル付き表示装置１が動作を開始する前の携帯電話の外観を示す正面図であって、キーマップ１００は表示部２に表示されていない。
【００４７】
また、図３（ａ）に示す様に、本実施の形態では、表示部２の殆どを表示画像領域２０１が占めている。
【００４８】
図３（ｂ）は、初押圧によってキーマップ１００が表示部２に表示された携帯電話の外観を示す正面図である。
【００４９】
図３（ｃ）は、図３（ｂ）の様にキーマップ１００が表示部２に表示されている場合に、タッチパネル３上で「０」の位置が押圧された場合の携帯電話の外観を示す正面図である。
【００５０】
次に、本実施の形態のタッチパネル付き表示装置１の動作について説明する。
【００５１】
図４は、本実施の形態のタッチパネル付き表示装置１の動作を示すフロー図である。
【００５２】
図４のフロー図に沿い、図１、図２、及び図３を用いて、本実施の形態のタッチパネル付き表示装置１の動作を説明する。
【００５３】
動作を開始する前は、図３（ａ）に示す様にキーマップ１００は表示部２に表示されていない。次に、本実施の形態のタッチパネル付き表示装置１が、例えば電源の投入により動作を開始する（Ｓ００１）と、初押圧検出部７が初押圧を検出し、初押圧であることをキーマップ展開部６へ通知する（Ｓ００２）。
【００５４】
次に、キーマップ展開部６がキーマップ記憶部５からキーマップ１００を読み出し（Ｓ００３）、キーマップ展開部６が、タッチパネル３が出力する初押圧点の座標とキーマップ１００の基準点１０２が一致する様に、読み出したキーマップ１００をキーマップ展開部６内で移動し、表示部２での表示位置を調整する（Ｓ００４）。
【００５５】
例えば、初押圧点の座標、即ち初押圧点のベクトルから、基準点１０２の座標、即ち基準点１０２のベクトルを引き算をし、その引き算の差のベクトルとキーマップ１００を構成するベクトルの足し算をすることによって、キーマップ１００をキーマップ展開部６内で移動し、表示部２での表示位置を調整する。
【００５６】
次に、キーマップ展開部６が、移動したキーマップ１００の画像を生成し混合部４に出力し、一方で移動したキーマップ１００上のキーについて座標とキーの値を対にして結合部８に出力する（Ｓ００５）。キーマップ１００の画像が入力された混合部４はキーマップ１００の画像と、入力される表示画像を混合し表示部２へ出力し、混合した画像が混合部４から入力された表示部２は、入力された画像、すなわち表示画像とキーマップ１００の画像の合成された画像を表示する。
【００５７】
例えば、初押圧の押圧点が図３（ｂ）に示す押圧点２０２の場所であった場合、Ｓ００４で押圧点２０２とキーマップ１００の基準点１０２が一致する様にキーマップ１００を移動して表示位置を調整し、Ｓ００５で移動したキーマップ１００が混合部４へ出力され、混合部４で混合された画像が表示部２で表示されるので、図３（ｂ）に示す様に、押圧点２０２とキー「５」が一致するようにキーマップ１００が表示される。
【００５８】
本実施の形態のタッチパネル付き表示装置１に対して押圧する人は、Ｓ００５に依って表示部２に表示されたキーマップ１００を基に、タッチパネル３を押圧する。例えば、図３（ｃ）に示す様に押圧する人は、表示されたキーマップ１００を基に、タッチパネル３上の「０」の位置を押圧する。
【００５９】
次に、結合部８は、キーマップ展開部６が出力するキーの座標とキーの値、及びタッチパネル３が出力する押圧点の座標から押圧点に対応するキーの値を出力する（Ｓ００６）
。
【００６０】
例えば、図３（ｃ）に示す様にタッチパネル３上の「０」の位置が押圧されると、タッチパネル３は「０」の位置の座標を結合部８に出力する。結合部８は、タッチパネル３が出力する「０」の位置の座標と一致する、キーマップ展開部６が出力するキーの座標を探し、一致するキーの座標と対のキーの値、即ち「０」を出力する。
【００６１】
以上のようにして、本実施の形態のタッチパネル付き表示装置１における押圧点の認識に関する一連の動作は終了する（Ｓ００７）。
【００６２】
一方、ＣＰＵ１０は、メモリ１１に記憶されている携帯電話等の情報機器装置の動作プログラムを、タッチパネル付き表示装置１とＩ／Ｏ部９とメモリ１１と協働して実行する。即ち、メモリ１１に記憶されている動作プログラムが情報機器装置として携帯電話を実現する動作プログラムである場合、ＣＰＵ１０はタッチパネル付き表示装置から入力される電話番号をメモリ１１に記憶しながら、混合部４を経由して表示部２に電話番号を表示する。更にＣＰＵ１０は、入力された電話番号を基にＩ／Ｏ部９を経由して基地局に無線接続し、無線接続経由で受信する音声データをＩ／Ｏ部９のスピーカで放音する一方で、Ｉ／Ｏ部９のマイクで集音した音声データを無線接続経由で基地局に送信する。
【００６３】
この様に、本実施の形態のタッチパネル付き表示装置１は、小型化が進んだ携帯電話等の情報機器装置に適用されると、初押圧点とキーマップの基準点が一致する様にキーマップを表示し、表示されたキーマップに対して押圧してキー入力することによって、例えば利き手で保持しながら利き手の親指で初押圧をすると、利き手の親指でキー入力しやすい位置にキーマップを表示させ、表示されたキーマップに対して押圧することができる効果を奏する。
【００６４】
なお、親指に限らず他の指であっても他の指で押圧しやすい位置にキーマップを表示させ、表示されたキーマップに対して押圧することができる効果を奏する。
【００６５】
また、本実施の形態のタッチパネル付き表示装置１は、初押圧をきっかけにキーマップを表示させるので、キー入力する際に直ぐにキーマップを表示させ、キーマップに対して直ぐに押圧することができる効果を奏する。
【００６６】
なお、混合部４はキーマップ展開部６が出力するキーマップ１００の画像と入力される表示画像を混合し表示部２に出力するが、図３（ｂ）や図３（ｃ）に示す様に、混合部４は表示画像領域２０１とキーマップ１００が重ならない様に、キーマップ１００の画像と表示画像を混合しても良い。タッチパネル３が表面上に設置された表示部２において、キーマップ１００が表示される領域は指先等で押圧される為の領域である。即ち、指先等で押圧される度に指等が表示部２を遮るのでキーマップ１００が表示される領域は、画像を表示する表示画像領域２０１としては適当ではない。混合部４は表示画像領域２０１とキーマップ１００が重ならない様に、キーマップ１００の画像と表示画像を混合することによって、視認性の良い表示画像領域２０１を提供することができる。
【００６７】
なお、図４のＳ００４において、初押圧点の座標と基準点１０２が一致する様にキーマップ１００をキーマップ展開部６内で移動し表示部２での表示位置を調整する際に、初押圧点が表示部２の周辺（例えば、周縁部）であった場合には、基準点１０２の位置にかかわらず、キーマップ１００が初押圧点近くの表示部２周辺部に位置するように、キーマップ展開部６内で移動して、キーマップ１００の表示位置を調整しても良い。例えば、初押圧点が表示部２の左下周辺部である場合は、キーマップ１００の左辺と下辺が表示部２の左辺部と下辺部に位置するように調整する。
【００６８】
単に初押圧点の座標と基準点１０２が一致する様にキーマップ１００をキーマップ展開部６内で移動し表示部２での表示位置を調整すると、初押圧点が表示部２の周辺（例えば、周縁部）であった場合には、基準点１０２が表示部２の周辺（例えば、周縁部）に位置することになり、キーマップ１００全体を表示部２に表示することができず、表示されないキーを押圧することができない。しかし上記の様に、初押圧点が表示部２の周辺であった場合には、キーマップ１００が初押圧点近くの表示部２周辺部に位置するようにキーマップ展開部６内で移動して、キーマップ１００の表示位置を調整することで、基準点１０２の位置にかかわらずキーマップ１００全体を表示部２に表示することができ、表示されるキーマップ１００全体のキーを押圧することができる。
【００６９】
（実施の形態２）
図５は、「上」、「下」、「左」、「右」、及び「選択」のキーを備えたキーマップ３００を示す模式図である。
【００７０】
キー「上」は上向きの三角形であるキー領域３０３を持ち、キー「下」は下向きの三角形であるキー領域３０４を持ち、キー「左」は左向きの三角形であるキー領域３０５を持ち、キー「右」は右向きの三角形であるキー領域３０６を持ち、キー「選択」は円であるキー領域３０７を持つ。
【００７１】
キーマップ３００においても、キー領域はベクトルの集まり、すなわち座標の集まりとして規定することができ、例えばキー「上」のキー領域４３はベクトルの集まり３０１で規定される。更に、キーマップ３００は基準点３０２を持ち、基準点３０２はキーマップ３００を移動する上で基準となる点である。
【００７２】
なお、実線で示したキー領域３０３からキー領域３０７は、キーマップ３００の画像として表示部２で表示される。
【００７３】
図６は、キーマップ３００を用いた本実施の形態のタッチパネル付き表示装置１を携帯電話の外観を示す正面図であって、図６（ａ）から図６（ｃ）は、本実施の形態のタッチパネル付き表示装置１が動作するに従って変化する携帯電話の外観を示す。
【００７４】
図６において、タッチパネル３は表示部２の表面上に設置される。また、表示画像領域４０１は、図１に示す混合部４で混合される表示画像が表示される領域を示す。更に、押圧点４０２は、指等で押圧される点を示す。
【００７５】
本実施の形態におけるタッチパネル付き表示装置の構成及び動作は、図１及び図４に示す実施の形態１におけるタッチパネル付き表示装置のそれと同じである。
【００７６】
図４のフロー図に沿い、図１、図５、及び図６を用いて本実施の形態のタッチパネル付き表示装置１の動作を説明する。
【００７７】
動作を開始する前は、図６（ａ）に示す様にキーマップ３００は表示部２に表示されていない。
【００７８】
次に、本実施の形態のタッチパネル付き表示装置１が、電源の投入などにより動作を開始する（Ｓ００１）と、初押圧検出部７が初押圧を検出し、初押圧であることをキーマップ展開部６へ通知する（Ｓ００２）。
【００７９】
次に、キーマップ展開部６がキーマップ記憶部５からキーマップ３００を読み出し（Ｓ
００３）、キーマップ展開部６がタッチパネル３が出力する初押圧点の座標とキーマップ３００の基準点３０２が一致する様に、読み出したキーマップ３００をキーマップ展開部６内で移動し、表示部２での表示位置を調整する（Ｓ００４）。
【００８０】
次に、キーマップ展開部６が、移動したキーマップ３００の画像を生成し混合部４に出力し、一方で移動したキーマップ３００上のキーについて座標とキーの値を対にして結合部８に出力する（Ｓ００５）。キーマップ３００の画像が入力された混合部４はキーマップ３００の画像と、入力される表示画像を混合し表示部２へ出力し、混合した画像が混合部４から入力された表示部２は、入力された画像、すなわち表示画像とキーマップ３００も画像の合成された画像を表示する。
【００８１】
例えば、初押圧の押圧点が図６（ｂ）に示す押圧点４０２の場所であった場合、Ｓ００４で押圧点４０２とキーマップ３００の基準点３０２が一致する様にキーマップ３００を移動して表示位置を調整し、Ｓ００５で移動したキーマップ３００が混合部４へ出力され、混合部４で混合された画像が表示部２で表示されるので、図６（ｂ）に示す様に、押圧点４０２とキー「選択」が一致するようにキーマップ３００が表示される。
【００８２】
本実施の形態のタッチパネル付き表示装置１に対して押圧する人は、Ｓ００５に依って表示部２に表示されたキーマップ３００を基に、タッチパネル３を押圧する。例えば、図６（ｃ）に示す様に、押圧する人は表示されたキーマップを基に、タッチパネル３上の「右」の位置を押圧する。
【００８３】
次に、結合部８は、キーマップ展開部６が出力するキーの座標とキーの値、及びタッチパネル３が出力する押圧点の座標から押圧点に対応するキーの値を出力する（Ｓ００６）。
【００８４】
例えば、図６（ｃ）に示す様にタッチパネル３上の「右」の位置が押圧されると、タッチパネル３は「右」の位置の座標を結合部８に出力する。結合部８は、タッチパネル３が出力する「右」の位置の座標と一致する、キーマップ展開部６が出力するキーの座標を探し、一致するキーの座標と対のキーの値、即ち「右」を出力する。
【００８５】
以上のようにして、本実施の形態のタッチパネル付き表示装置１における押圧点の認識に関する一連の動作は終了する（Ｓ００７）。
【００８６】
以上のように、本実施の形態においても、実施の形態１と同じように、キー入力し易い位置にキーマップを表示することができ、また初押圧後、直ぐにキー入力できるという効果を奏する。
【００８７】
また、上記各実施の形態では、情報機器装置の一例として携帯電話を用いて説明したが、本発明の情報機器装置は携帯電話に限定されない。
【００８８】
すなわち、本発明の情報機器装置は、各実施の形態で説明したタッチパネル付き表示装置を搭載した情報機器装置であればよく、タッチパネル付き表示装置を搭載した携帯端末、ＰＤＡ、ゲーム機器、又はテレビやＤＶＤプレーヤーのリモコン等も含み、各実施の形態で説明したのと同様な効果を奏する。
【産業上の利用可能性】
【００８９】
以上のように、本発明のタッチパネル付き表示装置及び情報機器装置は、手で保持しながら指でキー入力し易いので、携帯電話やＰＤＡ等の小型の情報機器装置として有用である。
【図面の簡単な説明】
【００９０】
【図１】本発明の実施の形態１及び実施の形態２におけるタッチパネル付き表示装置を示す構成図
【図２】本発明の実施の形態１におけるキーマップ１００を示す模式図
【図３】（ａ）本発明の実施の形態１における動作開始前のタッチパネル付き表示装置１を適用した携帯電話の正面図（ｂ）同初押圧時のタッチパネル付き表示装置１を適用した携帯電話の正面図（ｃ）同キーマップ１００が表示された後のタッチパネル付き表示装置１を適用した携帯電話の正面図
【図４】本発明の実施の形態１におけるタッチパネル付き表示装置１の動作を示すフロー図
【図５】本発明の実施の形態２におけるキーマップ３００を示す模式図
【図６】（ａ）本発明の実施の形態２における動作開始前のタッチパネル付き表示装置１を適用した携帯電話の正面図（ｂ）同初押圧時のタッチパネル付き表示装置１を適用した携帯電話の正面図（ｃ）同キーマップ３００が表示された後のタッチパネル付き表示装置１を適用した携帯電話の正面図
【符号の説明】
【００９１】
１    タッチパネル付き表示装置
２    表示部
３    タッチパネル
４    混合部
５    キーマップ記憶部
６    キーマップ展開部
７    初押圧検出部
８    結合部
１００，３００    キーマップ
１０２，３０２    基準点
２０１，４０１    表示領域
２０２，４０２    押圧点
【図１】
2009025848.tif 000003
【図２】
2009025848.tif 000004
【図３】
2009025848.tif 000005
【図４】
2009025848.tif 000006
【図５】
2009025848.tif 000007
【図６】
2009025848.tif 000008